(57)【要約】      （修正有）【課題】長期にわたり使用しても変形しにくい、強度に富んだ眼鏡のクリングスを提供する。【解決手段】クリングス１０は、眼鏡のリム或いはブリッジとノーズパッドの間に介在させるクリングスであって、リム或いはブリッジに取り付ける基端部１２と箱を取り付ける先端部１３の間に、螺旋状に形成した螺旋部１１を設けて構成し、さらに、クリングスを基端側から先端側に向けて略直線状に形成した。【選択図】図１
0003216927.tif 000002
【実用新案登録請求の範囲】
【請求項１】
リム或いはブリッジとノーズパッドの間に介在させるクリングスであって、リム或いはブリッジに取り付ける基端部と箱を取り付ける先端部の間に、螺旋状に形成した螺旋部を設けたクリングス。
【請求項２】
基端側から先端側に向けて略直線状に伸長する請求項１に記載のクリングス。
【考案の詳細な説明】
【技術分野】
【０００１】
本考案は眼鏡の構成要素であるクリングスに関し、より詳しくは強度に富んだクリングスに関する。
【背景技術】
【０００２】
従来より眼鏡を装着する際には、テンプルの先端を装着者の耳の上に掛けるとともに、フロントフレームの中央部分を装着者の鼻に当て、眼鏡を装着者にフィットさせている。      
【０００３】
この装着者の鼻に当接させる部分の形状としては、左右一対のリムを連結するブリッジを直接鼻の上に置くものや、リム又はブリッジに一体形成したノーズパッドを鼻に当てるものの他に、リム又はブリッジに細い金属線材を種々の形状に折り曲げて形成されたクリングスの基端部を固定して、このクリングスの先端にノーズパッドを固定するものが挙げられる。
【０００４】
上述のように、リム又はブリッジとノーズパッドとの間にクリングスを介在させると、装着者の鼻の形状に応じてクリングスを変形させることによりノーズパッドの角度や高さを調整することができ、眼鏡の装着性をより良くすることができるという利点がある。
【０００５】
そしてクリングスはその形状から大きく分けてスネーク型とＵ字型の二種類が汎用されている。
【０００６】
スネーク型のクリングスは、リム或いはブリッジに取り付けられたクリングスの基端側からすぐにクリングスが蛇行する形状、或いはリム或いはブリッジに取り付けられたクリングスの基端側からクリングスが上方に伸びて、次いで蛇行する形状を呈するものである。
【０００７】
Ｕ字型のクリングスは、リム或いはブリッジに取り付けられたクリングスの基端側からクリングスが上方に伸び、次いで上方で湾曲したのち下方に伸びる形状、つまりクリングスが逆Ｕ字型の形状を呈するものである。
【０００８】
特許文献１には、二本のクリングスで一個のノーズパッドを支持する眼鏡が開示されている。
【先行技術文献】
【特許文献】
【０００９】
【特許文献１】登録実用新案公報第３１７９４０６号
【考案の開示】
【考案が解決しようとする課題】
【００１０】
着用時の眼鏡の重量は主にノーズパッドで支えるものである。したがって、眼鏡フレームとノーズパッドの間に介在されるクリングスもまた、かかる重量を支えることになる。      
【００１１】
ところが、上述のようにクリングスは、細い金属製の線材であり、眼鏡を長期にわたり使用することで変形が生じやすいものである。一方、クリングスが変形すると眼鏡の掛け具合が悪くなりクリングスの微調整が必要となるが、かかる微調整は難易度の高いものである。
【００１２】
そこで本考案は、長期にわたり使用しても変形しにくい、強度に富んだクリングスを提供することを目的とする。
【課題を解決するための手段】
【００１３】
上記課題を解決する本考案の構成は、以下の通りである。
【００１４】
（１）  請求項１に記載のクリングスは、リム或いはブリッジとノーズパッドの間に介在させるクリングスであって、リム或いはブリッジに取り付ける基端部と箱を取り付ける先端部の間に、螺旋状に形成した螺旋部を設けて構成した。
【００１５】
（２）  請求項２に記載のクリングスは、請求項１に記載の考案において、クリングスを基端側から先端側に向けて略直線状に形成した。
【考案の効果】
【００１６】
上記のように構成される本考案が、如何に作用して課題を解決するかを図面を参照しながら概説する。
【００１７】
図１は本考案に係るクリングス１０を示すものである。なお、図中クリングス１０の先端部１３には、ノーズパッド（不図示）を取り付けるための箱２０が取り付けてある。この図に示されるように、リム或いはブリッジに取り付ける基端部１２と先端部１３の間には、線材を螺旋状に形成した螺旋部１１が設けてある。
【００１８】
かかる構造とすることで、形状強度が増し、荷重に対する耐性が高まるものである。
【００１９】
また、請求項２に記載の考案では、螺旋部１１を備えたクリングスを、基端部１２から先端部１３に向けた形状を略直線状に形成してある。つまりＵ字型のクリングスのように基端から上方に伸び、次いで下方に伸びるといった形状ではなく、基端から先端に向け、概ね一直線に伸びる形状としてある。かかる構造とすることで、負荷が強度に富んだ螺旋部１２に掛かることになる。しかも、座屈は構造の変形による幾何学的非線形性に起因して、構造物に不安定な平衡状態が発生することにより生じるが、直線状にすることで不安定な平衡状態の発生を可及的に抑制することも可能となる。
【００２０】
かようにして本考案によれば、強度に富んだクリングスの提供が可能となるのである。
【図面の簡単な説明】
【００２１】
【図１】箱を取り付けた状態の正面図
【図２】同、平面図
【図３】同、左側面図
【図４】Ａ  治具の正面図              Ｂ  同、平面図
【図５】Ａ  治具にクリングスを取り付けた状態の正面図              Ｂ  同、平面図
【図６】眼鏡に取り付けた状態の説明図
【考案を実施するための形態】
【００２２】
以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。なお、図１、図３におけるＵは上方をＤは下方を表すものである。
【００２３】
本考案に係るクリングス１０は、湾曲された直径1ｍｍ程度の線材よりなり、直線長さで約１２〜１３ｍｍ程度よりなる。素材はチタンその他クリングスに利用される一般的な金属素材を利用可能である。
【００２４】
クリングス１０は、図１乃至図３に示されるように、眼鏡のリム或いはブリッジにロー付けその他の方法で固定する直線状の基端部１２と、基端部１２から斜め下方に伸びる直線状部１４ａと、直線状部１４ａから連続して形成される、線材を螺旋状に形成した螺旋状部１１と、螺旋状部１１の下端から連続して形成され斜め下方に伸びる直線状部１４ｂとにより成る。直線状部１４ｂの下端は、先端部１３として箱２０にロー付けその他の方法で固定されるものである。
【００２５】
箱２０にはねじ孔２０ａが設けられており、図示されないノーズパッドがねじ着されるものである。
【００２６】
本考案に係るクリングス１０は、専用の治具３０を用いて眼鏡に取り付けてもよい。図４に示されるように、治具３０は板状体３１に突起片３２を設けた部材であり、板状体３１に、クリングス１０の基端部１２を、ロー付けその他の方法で固定するものである。
【００２７】
図６に示すように、突起片３２を、眼鏡４０のブリッジ４１に設けた孔部４１ａに嵌め込み、治具３０及びクリングス１０を眼鏡４０に取り付けるものである。
【符号の説明】
【００２８】
１０・・クリングス
１１・・螺旋状部
１２・・基端部
１３・・先端部
１４ａ，１４ｂ・・直線状部
【図１】
0003216927.tif 000003
【図２】
0003216927.tif 000004
【図３】
0003216927.tif 000005
【図４】
0003216927.tif 000006
【図５】
0003216927.tif 000007
【図６】
0003216927.tif 000008